(57)【要約】【課題】濾過体の逆洗時における揺動を確実に防止できる濾過式集塵装置を提供することを課題とする。【解決手段】集塵槽１０内が隔壁で含塵ガス室１６と清浄ガス室１５とに隔離されており、含塵気体を清浄化する濾過材２１と、濾過後の清浄気体を流出する開口部２２Ａが形成されているフランジ部２２とを備えた濾過体を有し、濾過体２０は、複数列をなして上記隔壁１４によりフランジ部で吊下支持されており、外部から含塵気体を槽内に導入する吸気部を含塵ガス室側にそして清浄気体を吸引して外部へ排気する排気部３４を清浄ガス室側にそれぞれ設け、清浄ガス室１５内には、外部から供給される逆洗用気体を噴射口から噴射する噴射管３０が各濾過体列の開口部に対向して配置され、複数列の濾過体２０は、支持部材４０で互いに連結して支持されており、該支持部材４０が集塵槽壁１１に固定支持されている。【選択図】図１
2017209638.tif 000002
【特許請求の範囲】
【請求項１】
集塵槽内が隔壁で含塵ガス室と清浄ガス室とに隔離されており、含塵気体を外面から透過させ濾過して清浄化する濾過材と、該濾過材の一端に濾過後の清浄気体を流出する開口部が形成されているフランジ部とを備えた濾過体を有し、該濾過体は、上記開口部を清浄ガス室に連通するようにそして濾過材を含塵ガス室側に位置するように、複数列をなして上記隔壁によりフランジ部で吊下支持されており、外部から含塵気体を槽内に導入する吸気部を含塵ガス室側にそして清浄気体を吸引して外部へ排気する排気部を清浄ガス室側にそれぞれ設け、清浄ガス室内には、外部から供給される逆洗用気体を噴射口から噴射する噴射管が各濾過体列の開口部に対向して配置されている濾過式集塵装置において、
複数列の濾過体は、支持部材で互いに連結して支持されており、該支持部材が集塵槽壁に固定支持されていることを特徴とする濾過式集塵装置。
【請求項２】
複数列の濾過体は、各列が複数行の濾過体を有し、列方向そして行方向で濾過体が互いに支持部材で連結して支持されていることとする請求項１に記載の濾過式集塵装置。
【請求項３】
支持部材は、濾過体の下部にて該濾過体を支持していることとする請求項１または請求項２に記載の濾過式集塵装置。
【請求項４】
支持部材は、網目部材もしくは孔部が形成された板部材であり、網目もしくは孔部で濾過体を支持していることとする請求項１ないし請求項３のうちの一つに記載の濾過式集塵装置。
【発明の詳細な説明】
【技術分野】
【０００１】
本発明は、濾過式集塵装置に関する。
【背景技術】
【０００２】
濾過式集塵装置においては、濾過体としてセラミックフィルタが用いられることがある。このセラミックフィルタは、キャンドル型と呼ばれ、有底円筒状をなし、集塵槽内を下方の含塵ガス室と上方の清浄ガス室に仕切る隔壁により上記セラミックフィルタをそのフランジ部で吊下支持している。含塵ガス室に導入された含塵ガスはセラミックフィルタの外周面から内部に達し、その際濾過されて、清浄ガスがセラミックフィルタの上部開口から清浄ガス室へ吸引され、そのまま外部へ清浄ガスとして排出される。上記セラミックフィルタはその直径に対し長さ、すなわち上下寸法が大きくなっている。
【０００３】
かかるセラミックフィルタは、定期的に逆洗洗浄がなされる。すなわち、セラミックフィルタの上部開口から高圧逆洗用気体がパルス状に吹き込まれ、その圧力でセラミックフィルタ外周面に付着している塵埃を外方に吹きとばして剥離除去する。上記高圧洗浄用気体がパルス状に作用すると、該高圧洗浄気体の衝撃的圧力により、フランジ部で隔壁により吊下支持されているセラミックフィルタは揺動する傾向がある。
【０００４】
そこで、特許文献１では、隔壁に吊下支持されているセラミックフィルタのフランジ部に、固定部材を載置している。該固定部材は短柱ブロック状をなし、下面側にフランジ部を収容する凹部そして上面側に該凹部と同径の凸部を有している。したがって、フランジ部を凹部で収容している固定部材の凸部へ他の固定部材の凹部を嵌め込むことで、複数の固定部材を積置できる。上記固定部材はその自重によりフランジ部を上方から押さえており、隔壁に何らボルト等による締結部材は用いられていない。かくして、特許文献１では、固定部材の自重でフランジ部を押さえることで、逆洗時におけるパルス状の高圧逆洗気体の作用によるセラミックフィルタの揺動を抑制しようとしている。
【先行技術文献】
【特許文献】
【０００５】
【特許文献１】特開２０１４−０３３９９４
【発明の概要】
【発明が解決しようとする課題】
【０００６】
しかしながら、特許文献１では、隔壁から長く吊下されているセラミックフィルタをその上端に設けられたフランジ部にて固定部材の自重で押さえることとしているので、セラミックフィルタがその長手方向に直角な横方向に揺動する際には、該フランジ部を支点として、長いセラミックフィルタでは、そのモーメントが大きく、しかもフランジ部ではボルト等でフランジ部を締結していないので、上記モーメントに抗し難く、揺動してしまう傾向にある。さらには、セラミックフィルタが細長い場合には、フランジ部での固定が十分でも、セラミックフィルタ自体の撓みにより揺動することもある。
【０００７】
本発明は、かかる事情に鑑み、濾過体の逆洗時における揺動を確実に防止できる濾過式集塵装置を提供することを課題とする。
【課題を解決するための手段】
【０００８】
本発明に係る濾過式集塵装置は、集塵槽内が隔壁で含塵ガス室と清浄ガス室とに隔離されており、含塵気体を外面から透過させ濾過して清浄化する濾過材と、該濾過材の一端に濾過後の清浄気体を流出する開口部が形成されているフランジ部とを備えた濾過体を有し、該濾過体は、上記開口部を清浄ガス室に連通するようにそして濾過材を含塵ガス室側に位置するように、複数列をなして上記隔壁によりフランジ部で吊下支持されており、外部から含塵気体を槽内に導入する吸気部を含塵ガス室側にそして清浄気体を吸引して外部へ排気する排気部を清浄ガス室側にそれぞれ設け、清浄ガス室内には、外部から供給される逆洗用気体を噴射口から噴射する噴射管が各濾過体列の開口部に対向して配置されている。
【０００９】
かかる濾過式集塵装置において、本発明では、複数列の濾過体は、支持部材で互いに連結して支持されており、該支持部材が集塵槽壁に固定支持されていることを特徴としている。
【００１０】
このような本発明によれば、濾過体は支持部材で互いに連結支持されているので、上端のフランジ部に加え、上記支持部材との二点で支持されることとなり逆洗時においても、揺動することは殆どなくなる。ここで、支持部材が固定支持される集塵槽壁とは、側壁でも底壁でもよい。
【００１１】
本発明において、複数列の濾過体は、各列が複数行の濾過体を有し、列方向そして行方向で濾過体が互いに支持部材で連結して支持されているようにすることができる。濾過体は、多数用いられて行列をなして配置されることがあるので、列方向にも行方向にも支持部材で支持することで全体として系の重量が増大することになるので、それだけ揺動しにくくなり支持が確実になる。
【００１２】
本発明において、支持部材は、濾過体の下部にて該濾過体を支持していることが好ましい。こうすることで、濾過体は、フランジ部と支持部材との二点で支持される際、二点間の距離が大きくなり、それだけ支持が確実になる。
【００１３】
本発明において、支持部材は、網目部材もしくは孔部が形成された板部材であり、網目もしくは孔部で濾過体を支持しているようにすることもできる。上記網目部材はワイヤ間で濾過体を挟み、また、板部材はその孔部に濾過体の底部を下方から嵌め込み支持するようにできる。濾過体の底部が半球状をなしているときには、孔部に該半球状部分の直径よりも若干小さい孔径とすることで、該孔部で濾過体の底部を受けることができる。
【発明の効果】
【００１４】
以上のように、濾過体同士を支持部材で連結して支持することとしたので、濾過体はフランジ部と支持部材とで二点支持されるとともに、系全体の重量が大きくなるので、逆洗時に高圧逆洗用気体がパルス状に吹き込まれても、揺動しにくくなる。その結果、濾過体自体の保護となり、ひいては集塵装置全体の保護を確実にする。
【図面の簡単な説明】
【００１５】
【図１】本発明の一実施形態装置の概要構成を示す破断斜視図である。
【図２】濾過体一個についての斜視図であり、支持部材による支持の様子を示す。
【図３】複数の濾過体についての支持部材による支持の様子を示す斜視図である。
【図４】濾過体一個についての隔壁による支持の様子を示す断面図である。
【発明を実施するための形態】
【００１６】
以下、添付図面にもとづき、本発明の一実施形態を説明する。
【００１７】
図１において、集塵槽１０は密閉縦長角筒状をなし、周囲四面をなす側壁１１と、上壁１２と、底壁１３とを有している。底壁１３は下方に向け槽内空間を狭めるテーパ部１３Ａが設けられている。該テーパ部１３Ａは落下したダストが中央に集まりやすくするためであり、底壁１３の中央にはダストを排出するために接続された排塵管１３Ｂが開口し該底壁１３から垂下している。
【００１８】
集塵槽１０は、上部位置で上壁１２と平行な隔壁１４が設けられていて、槽内空間が該隔壁１４よりも上方の清浄ガス室１５と該隔壁１４よりも下方の含塵ガス室１６とに隔離されている。
【００１９】
上記隔壁１４には、一列に複数本の濾過体２０が配置された濾過体列が複数列取り付けられ列方向と行方向に配置されて垂下している。図示の例では、一列に三本の濾過体が配置されたものが三列設けられ、すなわち、合計で九本の濾過体２０が隔壁１４から垂下している。
【００２０】
濾過体２０は、図１ないし図４に見られるように、有底の縦長筒状をなす濾過材２１の上端が開口していて、該上端に上記隔壁１４への取付けのための環状のフランジ部２２が設けられ該フランジ部２２には開口部２２Ａが形成されている。該フランジ部２２の下面が上記隔壁１４の孔部縁部の上面で支えられることにより、開口部２２Ａが上記清浄ガス室１５に連通した状態でフランジ部２２より下方の濾過材２１が上記含塵ガス室１６内に位置している。濾過体２０は、図１では、セラミックフィルタである。
【００２１】
上記含塵ガス室１６の側壁１１の下部には含塵気体を外部から該含塵ガス室１６へ導入するための吸気部としての含塵ガス導入管２３が接続されている。
【００２２】
上記清浄ガス室１５には、逆洗用気体、例えば空気を噴射するための噴射管３０Ａ，３０Ｂ，３０Ｃが各列の濾過体２０に対応して設けられている。各噴射管３０Ａ，３０Ｂ，３０Ｃは清浄ガス室１５内に位置する一端が閉塞していて、他端が側壁１１を貫通して槽外に位置している。上記各噴射管３０Ａ，３０Ｂ，３０Ｃには、その下部に、突出した噴射口３１Ａ，３１Ｂ，３１Ｃ（図では、３１Ｂ，３１Ｃは表れていない）が下方に向け開口して設けられていて、該噴射口３１Ａ，３１Ｂ，３１Ｃは、各列における三つの濾過体２０の開口部２２Ａの列上にそれぞれ対応して位置し、例えば、噴射管３０Ａの三つの噴射口３１Ａは、最右列に位置する三つの開口部２２Ａのそれぞれに対応して該開口部２２Ａの直上に位置していて、噴射口３１Ａから噴射される逆洗用気体が上記開口部２２Ａから濾過材２１の内部へ下端部まで吹き込まれるようになっている。
【００２３】
上記噴射管３０Ａ，３０Ｂ，３０Ｃは、上述したように、それらの他端側が側壁１１を貫通して槽外に位置していて、間欠的に開閉される噴射弁３２Ａ，３２Ｂ，３２Ｃを介して高圧逆洗用気体のガスタンク３３に接続されている。噴射弁３２Ａ，３２Ｂ，３２Ｃは、それらの一つが逆洗を行う所定時に選択されて、間欠的に、すなわち、パルス的に開閉を繰り返すように設定されている。逆洗を行う時間以外は、噴射弁３２Ａ，３２Ｂ，３２Ｃは閉状態となっている。
【００２４】
上記清浄ガス室１５には、上記噴射管３０Ａ，３０Ｂ，３０Ｃの上記一端側に近い側壁１１に開口して接続された、排気部としての排気管３４が連通している。上記排気管３４は排気弁３５を介して排気管３７に接続されており、該排気管３７が排気のための吸引装置（図示せず）に接続されている。したがって、吸引装置による吸引力は、排気管３４が開口する清浄ガス室１５に作用するが、排気弁３５が閉とされたときには、閉期間だけ清浄ガス室１５には吸引力が作用しないこととなる。上記排気弁３５は、逆洗のために開閉を間欠的に行う。
【００２５】
本実施形態では、三列三行をなして配置された濾過体２０のそれぞれは、濾過体２０の下部にて支持リング４１が緩衝材４２を介して取り付けられ支持されている（図２参照）。該支持リング４１からは四方に支持ロッド４３が延出している。該支持リング４１と支持ロッド４３とで支持部材４０を構成している。該支持部材４０の支持ロッド４３は、図３に見られるように、集塵槽１０の側壁１１に近い列そして行に位置する濾過体２０については、該濾過体と側壁１１とを連結し、他の濾過体２０については、隣接する濾過体２０同士を連結している。かくして、三列三行をなして配置されたすべての濾過体２０は、一体となり集塵槽１０の側壁１１により支えられることになる。なお、上記支持ロッド４３は集塵槽１０の底壁１３で固定支持されていてもよい。
【００２６】
このように支持部材４０で連結されて支持された三列三行に位置する濾過体２０は、その上部では、図４に示すごとく、隔壁１４により吊下支持される。
【００２７】
図４において、隔壁１４には、濾過体２０用の支持孔１４Ａが穿設されていて、ここへ上方から濾過体２０が挿通されている。該濾過体２０は、そのフランジ部２２がパッキン２２Ｂを介して上記支持孔１４Ａの周縁上にて位置して吊下支持されている。
【００２８】
さらに、上記隔壁１４には、上記支持孔１４Ａの周囲に、ボルトのためのねじ孔１４Ｂが形成されている。
【００２９】
上記フランジ部２２上には押え板２３が配されている。該押え板２３には、上記ねじ孔１４Ｂに対応する位置にボルト挿通用のボルト孔２３Ａが形成されていて、ここにボルト２４が挿通されている。該ボルト２４は上記ねじ孔１４Ｂに螺合し、上記フランジ部２２とパッキン２２Ｂを締めつける。かくして、濾過体２０は、その上部にて、フランジ部２２がボルト２４を介して隔壁１４に吊下支持され、下部にて支持部材４０にて支持される。
【００３０】
次に、このように構成される本実施形態装置における含塵気体の濾過そして逆洗の要領を説明する。
【００３１】
通常の濾過時には、すべての噴射弁３２Ａ，３２Ｂ，３２Ｃが閉となっていていずれの噴射管３０Ａ，３０Ｂ，３０Ｃからも逆洗用気体は噴射されておらず、一方、排気管３４の排気弁３５は開となっている。かかる状態で、吸引装置からの吸引力は、清浄ガス室１５に作用している。したがって、吸気部としての含塵ガス導入管２３から含塵ガス室１６内に導入された含塵ガスは濾過材２１で濾過される。すなわち、ダストは三列のいずれの列の濾過体２０においても、濾過材２１の外周面で付着捕捉され、濾過後の清浄気体が濾過材２１内を上昇して開口部２２Ａから清浄ガス室１５へ達し、排気管３４を経て排出される。
【００３２】
次に、逆洗を行うときには、一つの列の濾過体を逆洗した後に、他の列の濾過体を順に選定して逆洗する。選定されていない列では、濾過体による含塵気体の通常の濾過がなされて清浄気体が排気されている。
【００３３】
逆洗に際し選定された一つの列、例えば、最右列噴射管３０Ａに取り付けられている噴射弁３２Ａを間欠開閉作動させる。最右列に位置する噴射管３０Ａの三つの噴射口３１Ａから三つの濾過体２０のそれぞれの開口部２２Ａへ逆洗用気体がパルスをなして吹き込まれる。この噴射された逆洗用気体の圧力により、濾過材２１の外周面のダストは吹き飛ばされて剥離除去される。ダストは集塵槽１０の底部に落下し排塵管１３Ｂから槽外へ排出される。
【００３４】
一方、他の列の噴射管３０Ｂ，３０Ｃについては、噴射管３０Ｂの噴射弁３２Ｂそして噴射管３０Ｃの噴射弁３２Ｃは閉じたままであり、それらの噴射口３１Ｂ，３１Ｃからは逆洗用気体は噴射されない。したがって、隔壁１４から垂下しているそれぞれの列の三つづつ、計六本の濾過体２０では、通常の濾過が行われ、含塵ガス室１６内の含塵気体は濾過されて、清浄気体が濾過体２０内を通り上記清浄ガス室１５を経て排気される。また、濾過された際のダストは濾過材２１の外周面に付着し、いずれかの列の濾過体２０についての次の逆洗を待つ。
【００３５】
逆洗時において、高圧の逆洗用気体が噴射口３１（３１Ｂ，３１Ｃ）からパルス状に噴射されて、高圧が間欠的に濾過体２０に作用した際、該濾過体２０が揺動する傾向にあっても、本実施形態では、各濾過体２０がそれらの下部にて、支持部材４０で互いに連結され、集塵槽１０の側壁１１で支持されているので、上記揺動は阻止あるいは大幅に抑制される。
【符号の説明】
【００３６】
１０  集塵槽
１１  集塵槽壁（側壁）
１５  清浄ガス室
１５Ａ，１５Ｂ，１５Ｃ  区画室
１６  含塵ガス室
２０  濾過体
２１  濾過材
２２  フランジ部
３０Ａ，３０Ｂ，３０Ｃ  噴射管
３１Ａ，３１Ｂ，３１Ｃ  噴射口
３２Ａ，３２Ｂ，３２Ｃ  噴射弁
３４  排気管
３５  排気弁
４０  支持部材
【図１】
2017209638.tif 000003
【図２】
2017209638.tif 000004
【図３】
2017209638.tif 000005
【図４】
2017209638.tif 000006